(57)【要約】【課題】  一定間隔で配置した縦棧間の隙間を閉じることで、縦棧間の隙間に手を入れることができないようにし、外部から面格子を取り外す操作や施錠手段を開錠する操作を行うことができなくなり、面格子による防犯機能を十分に確保することができる固定面格子と脱出面格子を提供する。【解決手段】  上下横棧材間に多数本の縦棧材２３を一定間隔で配置して格子体２４を組み立てた面格子において、上記縦棧材２３が、横棧材に対する固定棧と、この固定棧に収まる状態から縦棧材の並列方向の一方側に引き出し可能となる所要数の可動棧との組み合わせによって形成され、上記各縦棧材の可動棧を、固定棧に収まる状態と固定棧からの引き出しが一体に行えるように連動する。【選択図】図１
2005194718.tif 000002
【特許請求の範囲】
【請求項１】
上下横棧材間に多数本の縦棧材を一定間隔で配置して格子体を組み立てた固定面格子において、上記縦棧材が、横棧材に対する固定棧と、この固定棧に収まる状態から縦棧材の並列方向の一方側に引き出し可能となる所要数の可動棧との組み合わせによって形成され、上記各縦棧材の可動棧を、固定棧に収まる状態と固定棧からの引き出しが一体に行えるように連動したことを特徴とする固定面格子。
【請求項２】
上下横棧材間に多数本の縦棧材を一定間隔で配置して格子体を組み立て、この格子体をサッシ枠に固定した外枠内に，該外枠に対する開位置と閉位置の間で移動可能となるよう組み込んだ脱出面格子において、上記格子体の縦棧材が、横棧材に対する固定棧と、この固定棧に収まる状態から縦棧材の並列方向の一方側に引き出し可能となる所要数の可動棧との組み合わせによって形成され、上記各縦棧材の可動棧を、固定棧に収まる状態と固定棧からの引き出しが一体に行えるように連動したことを特徴とする脱出兼防犯面格子。
【請求項３】
上記外枠の縦棧に、閉位置にある格子体の施錠と開錠が室内側からの操作によって可能となる施錠手段を設け、上記格子体において、外枠の縦棧に接する位置の縦棧材に、この縦棧材の可動棧と連動し、可動棧が固定棧内に納まる状態で施錠手段を隠蔽し、可動棧が引き出された状態で施錠手段の隠蔽を解く防犯カバーを設けたことを特徴とする請求項２に記載の脱出兼防犯面格子。
【請求項４】
上記外枠の縦棧に、閉位置にある格子体の施錠と開錠が室内側からの操作によって可能となる施錠手段と、外枠の縦棧に接する位置にある縦棧材の可動棧と連動し、この可動棧を移動させる開閉操作部材を取り付け、上記開閉操作部材と施錠手段を、可動棧を引き出した状態で施錠手段が開錠するように連動したことを特徴とする請求項２に記載の脱出兼防犯面格子。
【請求項５】
上記格子体における各縦棧材の可動棧が、固定棧からの引き出し状態で隣接する縦棧材の固定棧に接近もしくは当接し、縦棧材間の隙間を閉じるようになっていることを特徴とする請求項２又は３に記載の脱出兼防犯面格子。
【発明の詳細な説明】
【技術分野】
【０００１】  この発明は、建物の窓等の屋外側に取り付け、外部からの侵入を防止する防犯用の固定面格子と、脱出兼防犯面格子に関する。
【背景技術】
【０００２】  建物の窓等に取付ける面格子には、固定面格子と、緊急時に室内からの脱出が可能な脱出面格子があり、また、これら固定面格子や脱出面格子の窓に対する取り付け方法は、建物躯体にＬ形金物で固定するアンカー方法と、窓のサッシ枠の最外側羽根に固定する方法があり、更に、サッシ枠に対する固定において、サッシ枠に先付けする方法と後付けする方法がある。【０００３】  従来の一般的な固定面格子は、図１０（Ａ）のように、上下横棧材１と多数本の縦棧材２を結合したものや、図１０（Ｂ）のように、両側縦棧材３と上下横棧材４で形成した枠体５内に多数本の縦棧６を一定間隔で配置して格子体に組み立てた構造を有し、建物躯体やサッシ枠に固定するものであり、室内側からの脱出ができないタイプである。【０００４】また、従来の一般的な脱出面格子は、図１０（Ｃ）のように、両側縦棧材７と上下横棧材８で形成した外枠体９内に二枚の格子体１０を組み込み、図１０（Ｆ）と（Ｇ）の如く、両格子体１０を左右引き違い可能とするか、一方格子体１０を固定で他方格子体１０を左右に移動可能とし、また、これらとは別に、図１０（Ｄ）と（Ｅ）のように、同一平面に並べた二枚の格子体１０の一方を他方格子体１０の裏面側に重ねることにより開放するようにしたものや、更にまた、図示省略したが、一枚の格子体を組み込んだ外枠体の端部に戸袋を設け、開時に格子体を戸袋内に収納するようにし、各移動可能となるに格子体は外枠対に対して閉位置を施錠手段で固定化し、緊急時に室内側から施錠手段を開錠し、格子体を開位置に移動させて窓からの脱出が行えるようになっている。【０００５】  ところで、上記したように従来の固定面格子及び脱出面格子は、何れも多数本の縦棧を一定の間隔で配置し、採光や通風を確保しながら外部からの侵入を防止するものであり、このため、並列する縦棧の間に人の手が入る程度の十分な隙間が形成された構造になっている。
【発明の開示】
【発明が解決しようとする課題】
【０００６】  上記のように、並列する縦棧の間に隙間が形成されていると、外部から侵入せんとする者は、この隙間から手を入れて、面格子を建物躯体やサッシに固定するビスをドライバーで取り外す操作や、可動面格子の場合は、上記隙間から手を入れて施錠手段を開錠する操作を行うことができ、このため、面格子による防犯機能が十分に得られないという問題がある。【０００７】  そこで、この発明の課題は、一定間隔で配置した縦棧間の隙間を閉じることで、縦棧間の隙間に手を入れることができないようにし、外部から面格子を取り外す操作や施錠手段を開錠する操作を行うことができなくなり、面格子による防犯機能を十分に確保することができる固定面格子と脱出面格子を提供することにある。
【課題を解決するための手段】
【０００８】  上記のような課題を解決するため、請求項１の発明は、上下横棧材間に多数本の縦棧材を一定間隔で配置して格子体を組み立てた固定面格子において、上記縦棧材が、横棧材に対する固定棧と、この固定棧に収まる状態から縦棧材の並列方向の一方側に引き出し可能となる所要数の可動棧との組み合わせによって形成され、上記各縦棧材の可動棧を、固定棧に収まる状態と固定棧からの引き出しが一体に行えるように連動した構成を採用したものである。【０００９】  請求項２の発明は、上下横棧材間に多数本の縦棧材を一定間隔で配置して格子体を組み立て、この格子体をサッシ枠に固定した外枠内に，該外枠に対する開位置と閉位置の間で移動可能となるよう組み込んだ脱出面格子において、上記格子体の縦棧材が、横棧材に対する固定棧と、この固定棧に収まる状態から縦棧材の並列方向の一方側に引き出し可能となる所要数の可動棧との組み合わせによって形成され、上記各縦棧材の可動棧を、固定棧に収まる状態と固定棧からの引き出しが一体に行えるように連動した構成を採用したものである。【００１０】  請求項３の発明は、上記外枠の縦棧に、閉位置にある格子体の施錠と開錠が室内側からの操作によって可能となる施錠手段を設け、上記格子体において、外枠の縦棧に接する位置の縦棧材に、この縦棧材の可動棧と連動し、可動棧が固定棧内に納まる状態で施錠手段を隠蔽し、可動棧が引き出された状態で施錠手段の隠蔽を解く防犯カバーを設けた構成を採用したものである。【００１１】上記施錠手段としては、クレセント錠、プッシュ錠、レバー式錠、棒式錠等を用い、これらの施錠手段を外枠の縦棧内に収納して配置し、上記防犯カバーは、施錠手段に対して縦棧の室内側に向く開口面を隠蔽するようになっている。【００１２】  請求項４の発明は、上記外枠の縦棧に、閉位置にある格子体の施錠と開錠が室内側からの操作によって可能となる施錠手段と、外枠の縦棧に接する位置にある縦棧材の可動棧と連動し、この可動棧を移動させる開閉操作部材を取り付け、上記開閉操作部材と施錠手段を、可動棧を引き出した状態で施錠手段が開錠するように連動した構成を採用したものである。【００１３】  請求項５の発明は、上記格子体における各縦棧材の可動棧が、固定棧からの引き出し状態で隣接する縦棧材の固定棧に接近もしくは当接し、縦棧材間の隙間を閉じるようになっている構成を採用したものである。【００１４】  ここで、縦棧材は、内外に嵌り合い、順次引き出しと引き戻しが生じるような断面形状を有する複数の枠材を組み合わせて形成され、最も内側又は外側の枠材を固定棧とすると共に他の枠材を可動棧とし、可動棧は固定棧から引き出した状態で隣接する縦棧材の固定棧に当接し、縦棧材間の隙間を閉鎖するように、その本数が設定されている。【００１５】また、各縦棧材の最も内側又は外側に位置する可動棧が、固定棧を移動可能に貫通する軸状の連結バーで結合され、一つの可動棧を移動させることで，全可動棧が一体に同調して移動するようになっている。
【発明の効果】
【００１６】  この発明によると、格子体の縦棧材を、横棧材に対する固定棧と、この固定棧内に収納された状態から縦棧材の並列方向の一方側に引き出し可能となる所要数の可動棧との組み合わせによって形成し、上記各縦棧材の可動棧を、固定棧内への収納と固定棧からの引き出しが一体に行えるように連動したので、固定面格子及び可動面格子において、並列する縦棧材間の隙間を可動棧によって閉じることができ、通常は一般の面格子と同様、採光や通風が可能な状態で外部からの侵入を防ぐことができると共に、夜間や外出時に可動棧によって縦棧材間の隙間を閉じておけば、面格子がシャッターの機能を有することになり、外部から侵入せんとする者が縦棧間の隙間から手を入れて、固定面格子の場合は、面格子をサッシに固定するビスをドライバーで取り外す操作や、可動面格子の場合は、施錠手段を開錠する操作が困難になり、安全性の大幅な向上を図ることができる。【００１７】  また、外枠の縦棧に接する位置の縦棧材に、この縦棧材の可動棧と連動し、可動棧が固定棧内に納まる状態で施錠手段を隠蔽し、可動棧が引き出された状態で施錠手段の隠蔽を解く防犯カバーを設けたので、通常の面格子として使用している状態で、施錠手段が防犯カバーで覆われることになり、外部から侵入せんとする者が縦棧間の隙間から手を入れて、施錠手段を開錠する操作ができなくなり、脱出式面格子の防犯機能が大幅に向上する。【００１８】  更に、開閉操作部材によって可動桟を移動させるようにし、この開閉操作部材と施錠手段を、可動棧を引き出した状態で施錠手段が開錠するように連動したので、開閉操作部材を開位置に操作しない限り、格子体を開放することができなくなり、脱出式面格子の防犯機能が向上すると共に、可動桟の開閉操作が室内側から簡単に行えることになる。
【発明を実施するための最良の形態】
【００１９】  上下横棧材間に多数本の縦棧を一定間隔で配置して格子体を組み立て、上記縦棧材が、横棧材に対する固定棧と、この固定棧に収まる状態から縦棧材の並列方向の一方側に引き出し可能となる所要数の可動棧との組み合わせによって形成され、上記各縦棧材の可動棧を、固定棧への収まり状態と固定棧からの引き出しが一体に行えるように連動する。
【実施例１】
【００２０】  図１と図３は、二枚の格子体を引き違い式とした脱出兼防犯面格子２１の第１の実施例を示し、上下の横棧材２２間に多数本の縦棧材２３を一定間隔で配置して格子体２４を組み立て、二枚の格子体２４をサッシ枠に固定した外枠２５内に組み込み、少なくとも一方格子体２４を該外枠２６内の開位置と閉位置の間で移動可能となるよう組み込んだ構造になっている。【００２１】  上記外枠２５は、両側の縦棧２６と上下の横桟２７を矩形枠状に組み立て、上下のレールとなる横桟２７の対向面には平行する二条のレール２８と２９が設けられている。【００２２】  上記格子体２４は、上下横棧材２２間に多数本の縦棧材２３を一定間隔で配置して組み立て、この格子体２４の上下を外枠２５内の上下のガイドレール２８と２９に嵌め込むことにより該外枠２５に組み込み、外枠２５内で開位置と閉位置の間を移動可能になっている。【００２３】  上記格子体２４の縦棧材２３は、横棧材２２に対する固定棧３０と、この固定棧３０に収まる状態から縦棧材２３の並列方向の一方側に引き出し可能となる所要数の可動棧３１との組み合わせによって形成され、上記各縦棧材２３の可動棧３１を、固定棧３０に収まる状態と固定棧３０からの引き出しが一体に行えるように連動されている。【００２４】  図示の場合、縦桟材２３は中空材を用い、断面コ字状で開口側の先端部両側に内向き鍔３２を設けた固定桟３０と、上記固定桟３０の鍔３２間に納まる幅を有し、固定桟３０の内部に納まる断面コ字状に形成され、後端側の両側に抜け止め用の鍔３３と、先端部の両側に内向き鍔３４を設けた第１可動桟３１ａと、この第１可動桟３１ａの鍔３４間に納まる幅を有し、第１可動桟３１ａの内部に納まる断面角筒状に形成され、後端側の両側に抜け止め用の鍔３５が設けられた第２可動桟３１ｂとの組み合わせによって構成され、上記固定桟３０は上下端が上下の横桟２２に固定され、第１可動桟３１ａと第２可動桟３１ｂは上下端が上下の横桟２２にこの横桟２２の長さ方向に沿って移動自在となるように保持されている。【００２５】  上記縦桟材２３は、収縮状態で固定桟３０の内部に第１と第２可動桟３１ａ、３１ｂが納まり、この状態から第２可動桟３１ｂを引き出すと、後端の抜け止め用の鍔３５が先端の内向き鍔３４に係合することによって第１の可動桟３１ａが固定桟３０内から引き出され、図３（Ｂ）のように、縦桟材２３の伸長状態で第２可動桟３１ｂの先端が隣接する縦桟材２３の固定桟３０に接近もしくは当接し、伸長した縦桟材２３によって、互いに隣接する縦棧材２３間の隙間を閉じるようになっている。【００２６】  なお、可動桟３１の使用数は、図示のような第１と第２可動桟３１ａ、３１ｂの組み合わせに限定されるものではなく、縦桟材２３の配置間隔に合わせて図７のように増やすようにすることができると共に、縦桟材２３の固定桟３０と可動桟３１は、図９のように、鍔付きの角筒材や、フラットバー材やチャンネル材を用いて構成するようにしてもよい。【００２７】  上記格子体２４において、各縦桟材２３における第２可動桟３１ｂは、各固定桟３０と第１可動桟３１ａに対して移動自在に貫通する軸状の連結バー３６で互いに結合され、一つの第２可動棧３１��を移動させることで，全可動棧３１ａが一体に同調して移動するようになっている。【００２８】  上記外枠２５の開口面が室内側に向く縦棧２６の内部に、閉位置にある格子体２４の施錠と開錠が室内側からの操作によって可能となる施錠手段３７を設け、上記格子体２４において、外枠２５の縦棧２６に接する位置の縦棧材２３の第２可動棧３１ｂに、第１と第２可動桟３１ａと３１ｂが固定棧３０内に納まる収縮状態で上記施錠手段３７を室内側の開放面から隠蔽し、施錠手段３７の開錠操作を不能とし、また、第１と第２可動棧３１ａと３１ｂが引き出された伸長状態で施錠手段３７の隠蔽を解く防犯カバー３８が一体に移動するように固定され、この防犯カバー３８には、第２可動桟３１ｂを移動させるための引き手３９が設けられている。【００２９】  上記施錠手段３８は、図示の場合、クレセント錠を例示したが、他の施錠装置として、プッシュ錠、図７と図８のようなレバー式錠、棒式錠等を用いることができる。【００３０】  また、第１と第２可動桟３１ａｓ３１ｂの伸長方向への移動が円滑に行えるよう、内部に板ばねやコイルばねのような弾性体を組み込み、第１と第２可動桟３１ａと３１ｂに伸長方向への移動弾性を付勢するようにしてもよく、この場合、可動桟３１を収縮させた状態で、防犯カバー３８は縦桟２６に対して抜き差し自在のピン等により、縦桟２６に固定化できるようにしておく。【００３１】  更に、縦桟材２３を伸長させた状態で、室外側から第１と第２可動桟３１ａと３１ｂを固定桟３０内に戻すことができないように、縦桟２６に起伏動可能なロック部材を取付け、第２可動桟３１ｂを引き出し位置に移動させた防犯カバー３８をロック部材で戻らないように固定するようになっている。【００３２】  図７と図８は、施錠手段３８としてレバー式錠を用い、防犯カバー３８が離反することにより、このレバー式錠を開閉操作できる例を示し、室内側に倒した状態で開錠することができることになる。【００３３】  図２と図５及び図６に示す第２の実施例は、可動桟３１における第２可動桟４１ｂの移動を、外枠２５の縦桟２６に取付けた開閉操作部材４１で行うようにしたものであり、この開閉操作部材４１は縦桟２６に下端を枢止した操作棒４２の途中に設けたローラ４３を第２可動桟３１ｂと結合し、操作棒４２を起立姿勢にすると、第２可動桟３１ｂが引き込まれて縦桟材３１が収縮し、この状態から操作棒４２を所定角度倒すと、第２可動桟３１ｂを引き出して縦桟材２３を伸長状態とし、更に、操作棒４２を９０度の角度位置に倒すと、操作棒４２の突っ張りの作用により、室外側から第１と第２可動桟３１ａと３１ｂを固定桟３０内に戻すことができないようになる。【００３４】  この発明の面格子は上記のような構成であり、図１のように、格子体２４を閉じ位置に施錠した状態で、通常は各縦桟材２３を収縮状態とすれば、通風や採光が可能で外部からの侵入を防ぐ面格子となる。【００３５】  夜間や外出時及び室内を暗くしたい時は、引き手３９を介して第２可動桟３１ｂを固定桟３０内から引き出せば、全縦桟材２３の第２可動桟３１ｂが同時に移動し、この第２可動桟３１ｂが第１可動桟３１ａを引き出し、縦桟材２３が伸長状態となって第２可動���３１ｂの先端が隣接する固定桟３０に当接し、各固定桟３０間の隙間を第１と第２可動桟３１ａと３１ｂで閉鎖した状態になる。【００３６】  このように、各固定桟３０の隙間を閉鎖すると、室内側に対する遮光が得られると共に、外部から固定桟３０間の隙間に手を入れて施錠手段を開錠操作することができない状態となり、また、面格子２１を建物躯体やサッシ枠に固定するビスを外部から緩める操作ができないことになり、面格子２１の防犯性の機能を向上させることができる。【００３７】  また、縦桟材２３を収縮状態に戻すには、引き手３９を介して第２可動桟３１ｂを固定桟３０側に移動させればよく、全縦桟材２３の第２可動桟３１ｂが同時に移動し、この第２可動桟３１ｂが第１可動桟３１ａを押し込み、第１と第２可動桟３１ａと３１ｂが固定桟３０内に収まり、縦桟材２３間に隙間が生じることになる。【００３８】  緊急時に脱出する場合は、サッシを開放すると共に、上記したと同様、第１と第２可動桟３１ａと３１ｂを引き出して縦桟材２３を伸長状とすればよく、移動した防犯カバー３８が縦桟２６に設けた施錠手段３７の前面から離反し、施錠手段３７の前面が開放されるので、室内側から施錠手段３７を開錠操作し、格子体２４を開放位置に移動させるようにすればよい。【００３９】  なお、面格子２１は、図示例のような引き違い式に限定されるものではなく、図１０（Ｂ）に示した固定面格子や、図１０（Ｄ）、（Ｅ）や（Ｆ）、（Ｇ）に示した形式の面格子にも適用することができる。【００４０】  また、二枚の格子体２４を用いた面格子において、両側の格子体２４に縦桟材２３の構造を採用することができ、しかも、両格子体２４の縦桟材２３における第２可動桟を連動し、一体動するようにしてもよい。
【図面の簡単な説明】
【００４１】
【図１】（Ａ）は第１の実施例の面格子を示す室内側から見た正面図、（Ｂ）は同横断平面図、（Ｃ）は同縦断側面図
【図２】（Ａ）は第２の実施例の面格子を示す室内側から見た正面図、（Ｂ）は同横断平面図、（Ｃ）は同縦断側面図
【図３】（Ａ）は第１の実施例の面格子において、縦桟材の収縮状態を示す横断平面図、（Ｂ）は同じく縦桟材の伸長状態を示す横断平面図
【図４】第１の実施例の面格子において、縦桟材の伸長状態を示す要部の拡大正面図
【図５】（Ａ）は第２の実施例の面格子の開放状態を示す室内側から見た正面図、（Ｂ）は同横断平面図、（Ｃ）は同縦断側面図
【図６】第２の実施例の面格子において、縦桟材の伸長状態を示す要部の拡大正面図
【図７】（Ａ）は第１の実施例の面格子において、施錠手段の他の例と縦桟材の収縮状態を示す横断平面図、（Ｂ）は同じく縦桟材の伸長状態を示す横断平面図
【図８】第１の実施例の面格子において、施錠手段の更に他の例と縦桟材の収縮状態を示す横断平面図
【図９】格子体における縦桟材の他の例を示す横断平面図
【図１０】（Ａ）は従来の固定面格子を示す正面図、（Ｂ）は同じく固定面格子の他の例を示す正面図、（Ｃ）は従来の脱出面格子の正面図、（Ｄ）は脱出面格子の閉状態を示す横断平面図、（Ｅ）は同開状態の横断平面図、（Ｆ）は他の脱出面格子の閉状態を示す横断平面図、（Ｇ）は同開状態の横断平面図
【符号の説明】
【００４２】２１      面格子
２２      横桟材
２３      縦桟材
２４      格子体
２５      外枠
３０      固定桟
３１      可動桟
【図１】
2005194718.tif 000003
【図２】
2005194718.tif 000004
【図３】
2005194718.tif 000005
【図４】
2005194718.tif 000006
【図５】
2005194718.tif 000007
【図６】
2005194718.tif 000008
【図７】
2005194718.tif 000009
【図８】
2005194718.tif 000010
【図９】
2005194718.tif 000011
【図１０】
2005194718.tif 000012